(57)【特許請求の範囲】
【請求項１】
操作者が指を触れて操作するスイッチが表示されたタッチパネルと、
前記タッチパネルと重なり状態で設けられ、複数の電極が前記スイッチと対応するように並べて配置されるとともに、隣接する電極のうち、一方の電極から延設される配線は前記電極が並べられた方向で二分される一方側の領域に延設して配置され、他方の電極から延設される配線は同じく他方側の領域に延設して配置された電極パネルと、
前記操作者の指が前記タッチパネルに触れたとき、各々の前記電極の静電容量を検出する検出手段と、
前記検出手段が検出した各静電容量に応じて変化する値であって、操作者の指が前記タッチパネルの電極配置部分を触れているときには予め設定された基準値よりも大きくなり、操作者の指が前記タッチパネルの配線配置部分を触れているときには前記基準値よりも小さくなる値であるフィンガバリューを前記検出手段が検出した各静電容量を用いて算出する算出手段と、
前記算出手段が算出したフィンガバリューと前記基準値との比較に基づいて、操作者の指が前記タッチパネルのスイッチ部分を触れているか否かの判断をする制御部と、
を備えることを特徴とする静電容量式タッチパネル装置。
【請求項２】
前記タッチパネルにおける前記操作者の指との接触部分に配置される電極又は配線の元となる電極（以下、「特定電極」という）の静電容量Ｄ［ｎ］（ｎは並べて配置した電極の一端からの順番を示す）とし、前記特定電極と隣接する電極の静電容量をＤ［ｎ−１］，Ｄ［ｎ＋１］とし、さらにそれらと前記特定電極の側と反対側で隣接する電極の静電容量をＤ［ｎ−２］，Ｄ［ｎ＋２］とし、α，βを係数としたとき、
前記算出手段は、前記フィンガバリューｆｖとして、ｆｖ＝（α×Ｄ［ｎ］＋Ｄ［ｎ−１］＋Ｄ［ｎ＋１］）−（Ｄ［ｎ−２］＋Ｄ［ｎ＋２］＋β×Ｄ［その他］）（ただし、実在しない電極の静電容量Ｄ［ｎ］＝０とする）を算出し、
前記制御部は、前記フィンガバリューｆｖが予め設定した基準値よりも大であるときに前記操作者の指が前記タッチパネルに触れた操作を有効とし、基準値以下であるときに前記操作を無効とすることを特徴とする請求項１に記載の静電容量式タッチパネル装置。
【請求項３】
前記操作者の指と前記タッチパネルとの接触部分に配置される電極又は配線が複数存するときに、前記指との接触によって発生する静電容量が最大のものを前記特定電極とすることを特徴とする請求項２に記載の静電容量式タッチパネル装置。
【請求項４】
前記係数α，βは、前記電極のサイズ及び／又は配線パターンによって決まることを特徴とする請求項２又は３に記載の静電容量式タッチパネル装置。
【請求項５】
前記係数αが２であり、前記係数βが４であることを特徴とする請求項２ないし４のいずれか１項に記載の静電容量式タッチパネル装置。
【請求項６】
車両に搭載されることを特徴とする請求項１ないし５のいずれか１項に記載の静電容量式タッチパネル装置。
【発明の詳細な説明】
【技術分野】
【０００１】
本発明は、車両（例えば自動車）に搭載されるカーナビゲーション装置等に使用される静電容量式タッチパネル装置に関するものである。
【背景技術】
【０００２】
車両のカーナビゲーション装置等のディスプレイは、操作者の利便性を考慮して、操作者が指で操作する静電容量式のタッチパネル装置となっているものが多い。静電容量式のタッチパネル装置は、スライダ等のスイッチが表示されたタッチパネルと、スイッチに対応する電極が複数設けられ、タッチパネルと重なり状態で配置される透明な電極パネルとを備えている。各電極から延設された配線は、電極パネルに印刷して設けられ、タッチパネル装置を構成する回路基板に接続されている。操作者が、タッチパネルに表示されたスイッチの部分に指を当てるとその接触部分に配置される電極の静電容量が変化する。このときの静電容量の変化を制御手段が検出することによって、操作者がスイッチを操作したと判断する。静電容量式のタッチパネル装置の従来技術として、特許文献１に開示されるものがある。
【０００３】
静電容量式のタッチパネル装置の場合、抵抗膜式のタッチパネル装置と比較して、操作者の指が触れるだけで（換言すれば、操作者が指を押圧しなくても）スイッチを操作したと判断することができるとともに、電極パネルの透明度を高くすることができるという利点がある。
【０００４】
しかし、静電容量式のタッチパネル装置の場合、操作者が例えば手袋をはめて操作すると、静電容量変化の検出精度が低下してしまう。これを防止するため、タッチパネル装置の検出感度を上げると、操作者がスイッチ以外の部分に素手で触れたとき（特に、電極から延設された配線の部分に触れたとき）にスイッチ部分がタッチされたと誤認識し、誤作動してしまうおそれがある。
【０００５】
この不具合を防止するため、静電容量式タッチパネル操作用手袋の技術が開示されている（特許文献２を参照）。しかし、操作者にこの手袋の使用を義務付けるのは困難である。
【先行技術文献】
【特許文献】
【０００６】
【特許文献１】特許第４２６０１９８号公報
【特許文献２】特開２００８−８１８９６号公報
【発明の概要】
【発明が解決しようとする課題】
【０００７】
本発明は上記した不具合に鑑み、静電容量式のタッチパネル装置において、操作者がタッチパネルに表示されているスイッチ以外の部分を操作したときであっても誤作動しにくくなるようにすることを課題としている。
【課題を解決するための手段】
【０００８】
上記した課題を解決するための本発明は、
操作者が指を触れて操作するスイッチが表示されたタッチパネルと、
前記タッチパネルと重なり状態で設けられ、複数の電極が前記スイッチと対応するように並べて配置されるとともに、隣接する電極のうち、一方の電極から延設される配線は前記電極が並べられた方向で二分される一方側の領域に延設して配置され、他方の電極から延設される配線は同じく他方側の領域に延設して配置された電極パネルと、
前記操作者の指が前記タッチパネルに触れたとき、各々の前記電極の静電容量を検出する検出手段と、
前記検出手段が検出した各静電容量に応じて変化する値であって、操作者の指が前記タッチパネルの電極配置部分を触れているときには予め設定された基準値よりも大きくなり、操作者の指が前記タッチパネルの配線配置部分を触れているときには前記基準値よりも小さくなる値であるフィンガバリューを前記検出手段が検出した各静電容量を用いて算出する算出手段と、
前記算出手段が算出したフィンガバリューと前記基準値との比較に基づいて、操作者の指が前記タッチパネルのスイッチ部分を触れているか否かの判断をする制御部と、
を備えることを特徴とする。
【発明の効果】
【０００９】
上記本発明の構成によると、電極から延設される配線が、電極の並べ方向で二分される領域に交互に延設される。そして、操作者の指がスイッチの部分（即ち、電極が配置されている部分）を触れたときの静電容量の値が大きくなるようにするとともに、配線の部分を触れたときの静電容量の値が小さくなるようにする。この値を、制御部が予め設定された基準値と比較することで、操作者の指がタッチパネルのスイッチ部分を触れているか否かの判断をすることができる。このため、操作者の誤操作を確実に防止することができる。また、従来の電極パネルと比較して、電極から延設される配線の配置と、静電容量の値を算出するアルゴリズムを変更するだけで済む。
【００１０】
具体的には、前記タッチパネルにおける前記操作者の指との接触部分に配置される電極又は配線の元となる電極（以下、「特定電極」という）の静電容量Ｄ［ｎ］（ｎは並べて配置した電極の一端からの順番を示す）とし、前記特定電極と隣接する電極の静電容量をＤ［ｎ−１］，Ｄ［ｎ＋１］とし、さらにそれらと前記特定電極の側と反対側で隣接する電極の静電容量をＤ［ｎ−２］，Ｄ［ｎ＋２］とし、α，βを係数としたとき、
前記算出手段は、前記フィンガバリューｆｖとして、ｆｖ＝（α×Ｄ［ｎ］＋Ｄ［ｎ−１］＋Ｄ［ｎ＋１］）−（Ｄ［ｎ−２］＋Ｄ［ｎ＋２］＋β×Ｄ［その他］）（ただし、実在しない電極の静電容量Ｄ［ｎ］＝０とする）を算出し、
前記制御部は、前記フィンガバリューｆｖが予め設定した基準値よりも大であるときに前記操作者の指が前記タッチパネルに触れた操作を有効とし、基準値以下であるときに前記操作を無効とする。
【００１１】
このとき、前記操作者の指と前記タッチパネルとの接触部分に配置される電極又は配線が複数存するときに、前記指との接触によって発生する静電容量が最大のものを特定電極とする。
【００１２】
また、前記係数α，βは、前記電極のサイズ及び／又は配線パターンによって決まる。例えば、係数αが２であり、係数βが４である。しかし、他の値であってもよい。
【００１３】
そして、前記スイッチを、直線状、曲線状又はそれらを含む形状で設けることができる。これにより、本発明を各種の部分に実施することができるとともに、意匠を斬新なものにすることができる。
【図面の簡単な説明】
【００１４】
【図１】本発明の実施例のタッチパネル装置１００の正面図である。
【図２】タッチパネル装置１００の分解斜視図である。
【図３】電極パネル５の平面図である。
【図４】タッチパネル装置１００のブロック図である。
【図５】（ａ）は操作者の指Ｆがスライダ１３の電極Ｓ８の部分を触れている状態の模式図、（ｂ）はそのときのフィンガバリューｆｖを算出するアルゴリズムである。
【図６】（ａ）は操作者の指Ｆが配線Ｔ２〜Ｔ１０の部分を触れている状態の模式図、（ｂ）はそのときのフィンガバリューｆｖを算出するアルゴリズムである。
【図７】タッチパネル装置１００の作用を示すフローチャートである。
【図８】Ｖ字状となったスライダ３８における電極Ｓｎ及び配線Ｔｎの配置を示す模式図である。
【図９】ロータリスライダ１４における電極Ｓｎ及び配線Ｔｎの配置を示す模式図である。
【図１０】スライダ４１，４２が２箇所に設けられた電極パネル３９の平面図である。
【発明を実施するための形態】
【００１５】
以下、本発明の実施の形態について詳細に説明する。
【００１６】
図１は本発明の実施例の静電容量式タッチパネル装置１００（以下、単に「タッチパネル装置」と記載する。）とカーナビゲーション装置２００の正面図、図２はタッチパネル装置１００の分解斜視図、図３は電極パネル５の正面図、図４はタッチパネル装置１００のブロック図である。
【実施例１】
【００１７】
図１に示されるように、自動車のフロントパネルにはタッチパネル装置１００と、その上方に配置されるカーナビゲーション装置２００とが取り付けられている。カーナビゲーション装置２００は、ディスプレイ１とその両側に配置された複数の押しボタンスイッチ２とロータリスイッチ３とを備えている。
【００１８】
タッチパネル装置１００は車載エアコン（図示せず）の操作をするためのもので、図２に示されるように、操作者に視認される各種スイッチが表示されたタッチパネル４、タッチパネル４のスイッチに対応して複数の電極とそれから延設される配線が印刷等の手段によって設けられた透明な電極パネル５、タッチパネル４と電極パネル５を保持するためのベゼル６、支持パネル７、回路基板８、温度を表示するための液晶パネル９及びそれらを保持するケース体１１とを備えている。
【００１９】
タッチパネル４について説明する。図１に示されるように、本実施例のタッチパネル４のほぼ中央部の上部には、エアコンの設定温度を液晶表示する温度表示部１２が設けられ、その下方に風量の調整を行うためのスライダ１３が設けられている。タッチパネル４の左側には、温度を調整するためのロータリスライダ１４が設けられ、操作者が右回り（時計回り）方向の矢印１４ａに触れると設定温度が上昇し、左回り（反時計回り）方向の矢印１４ｂに触れると設定温度が下降する。また、タッチパネル４の右側には、エアコンのオン／オフを行うタッチスイッチ１５、車両のフロントウインドウに温風を送るタッチスイッチ１６、車両のリアウインドウに温風を送るタッチスイッチ１７、外気導入モードと内気循環モードの選択を行うタッチスイッチ１８が設けられている。
【００２０】
次に、電極パネル５について説明する。図３に示されるように、本実施例の電極パネル５は、樹脂（例えばポリエチレンテレフタレート（ＰＥＴ）やポリイミド）の薄板よりなり、液晶パネル９が配置されている部分は切り欠かれている。そして、スライダ１３の部分には縦方向（垂直方向）に波状（ジグザグ状）になった複数（本実施例の場合、６つ）の電極１９が横方向（水平方向）に並べて配置されている。また、ロータリスライダ１４の部分には、周方向に複数（本実施例の場合、１２）に分割された各電極２１が円周上に並べて配置されている。また、各タッチスイッチ１５〜１８の部分には、それらと対応するシート状の各電極２２〜２５が配置されている。それぞれの電極１９，２１，２２〜２５からは配線２６，２７，２８，２９，３１，３２が延設されている。なお、電極パネル５において、電極１９，２１，２２が配置されている部分以外の部分には、斜め格子状のＧＮＤメッシュ（図示せず）が設けられている。なお、図３における符号３３，３４は、電極パネル５と回路基板８とを接続するための接続用突片である。
【００２１】
図４に示されるように、上記したタッチパネル４、各電極１９，２１，２２〜２５は、制御部３５に接続されている。この制御部３５は、図示しない周知のＣＰＵ，ＲＯＭ，ＲＡＭ，Ｉ／Ｏ及びこれらを接続するバスライン等からなるマイクロコンピュータを中心に構成されており、ＲＯＭや外部記憶装置３６等の記憶部に記憶されたプログラムに基づいて各種制御（静電容量の算出、後述するフィンガバリューｆｖの算出、基準値との比較等の処理）を実行する。この処理の結果は、駆動部３７（本実施例の場合、エアコン）に出力される。
【００２２】
次に、本実施例の電極パネル５におけるスライダ１３の部分に設けられた電極１５の静電容量を計算するアルゴリズムについて、図５の模式図及び図６のフローチャートを参照しながら説明する。
【００２３】
図５の（ａ）においては、１０個の電極が横方向に並べて配置されており、各電極から配線が延設されている。本実施例の電極パネル５では、各電極からの配線は、電極パネル５を各電極の並べ方向Ｐで二分する領域に交互に延設させている。そして、１０個の電極に、左端から順に１，２，３，・・・１０と番号を付し、各電極をＳｎ（ｎは１〜１０のいずれか）と記載するとともに、各電極から延設された配線をＴｎ（ｎは１〜１０のいずれか）と記載する。
【００２４】
操作者がタッチパネル４を介して電極パネル５の所定部分（電極Ｓｎや配線Ｔｎが配置されている部分）に指Ｆを触れると、指Ｆとの接触部分及びその周辺部分に静電容量が発生する。これは、電極Ｓｎ又は配線Ｔｎに指Ｆが触れたとき、当該電極Ｓｎから配線Ｔｎにかけて静電容量が分布状（連続状）に発生するためである。ここで、操作者の指Ｆが電極Ｓｎに触れたときに発生する静電容量をＤ［ｎ］と記載する。なお、操作者の指Ｆが配線Ｔｎに触れたときは、その元になる電極Ｓｎに発生する静電容量をＤ［ｎ］とする。以下、操作者が指Ｆを触れることにより、静電容量Ｄ［ｎ］が発生した電極Ｓｎ又は配線Ｔｎが複数存するときには、それらのうち最も大きな静電容量Ｄ［ｎ］を発生する電極Ｓｎを１つ選択し、これを「特定電極Ｓｎ」と記載する。
【００２５】
そして、特定電極Ｓｎと隣接する一対の電極Ｓｎ−１，Ｓｎ＋１の静電容量をＤ［ｎ−１］，Ｄ［ｎ＋１］とし、さらにそれらと特定電極Ｓｎの側と反対側で隣接する一対の電極Ｓｎ−２，Ｓｎ＋２の静電容量をＤ［ｎ−２］，Ｄ［ｎ＋２］とし、α，βを係数としたとき、フィンガバリューｆｖをｆｖ＝（α×Ｄ［ｎ］＋Ｄ［ｎ−１］＋Ｄ［ｎ＋１］）−（Ｄ［ｎ−２］＋Ｄ［ｎ＋２］＋β×Ｄ［その他］）と定義する。ただし、実在しない電極Ｓｎの静電容量Ｄ［ｎ］＝０とする。この式の前項は、特定電極Ｓｎとそれに隣接する一対の電極Ｓｎ−１，Ｓｎ＋１の静電容量Ｄ［ｎ］、Ｄ［ｎ−１］，Ｄ［ｎ＋１］の和を示し、後項は特定電極Ｓｎから１つおいて隣接する一対の電極Ｓｎ−２，Ｓｎ＋２の静電容量Ｄ［ｎ−２］，Ｄ［ｎ＋２］と、それら（特定電極Ｓｎ、一対の電極Ｓｎ−１，Ｓｎ＋１及び一対の電極Ｓｎ−２，Ｓｎ＋２）以外の静電容量Ｄ［その他］との和を示している。
【００２６】
最初に、操作者の指Ｆが電極Ｓｎを触れているときのフィンガバリューｆｖについて説明する。各電極Ｓｎは横方向に並べて配置されているため、特定電極Ｓｎとそれに隣接する一対の電極Ｓｎ−１，Ｓｎ＋１の静電容量Ｄ［ｎ］，Ｄ［ｎ−１］，Ｄ［ｎ＋１］はいずれも大きく、それらの和（前項）も大きくなる。そして、特定電極Ｓｎから１つおいて隣接する一対の電極Ｓｎ−２，Ｓｎ＋２の静電容量Ｄ［ｎ−２］，Ｄ［ｎ＋２］とそれら以外の電極の静電容量Ｄ［その他］は、操作者の指Ｆから離れた位置に存するため、それらの和は小さい。この結果、フィンガバリューｆｖが大きな値を示す。
【００２７】
具体的には、図５の（ａ）に示されるように、操作者の指Ｆが電極Ｓ８に触れているとき、同時に電極Ｓ７，Ｓ９に触れている場合がある。係数αを２、係数βを４とする。このときのフィンガバリューｆｖは、図５の（ｂ）に示されるように、ｆｖ＝（２×Ｄ［８］＋Ｄ［７］＋Ｄ［９］）−（Ｄ［６］＋Ｄ［１０］＋４×Ｄ［１〜５］）となる。この式の前項の静電容量Ｄ［８］，Ｄ［７］，Ｄ［９］は指Ｆの直下に配置されているため大きく、後項の静電容量Ｄ［６］，Ｄ［１０］，Ｄ［１〜５］は指Ｆから離れて配置されているため小さい。この結果、フィンガバリューｆｖは大きな値を示す。
【００２８】
次に、操作者の指が配線Ｔｎを触れているときのフィンガバリューｆｖについて説明する。図６の（ａ）に示されるように、各電極Ｓｎからの配線Ｔｎは、各電極Ｓｎの並べ方向Ｐで二分される領域に交互に配置されているため、特定電極Ｓｎの静電容量Ｄ［ｎ］は大きくなるものの、それに隣接する一対の電極Ｓｎ−１，Ｓｎ＋１の静電容量Ｄ［ｎ］，Ｄ［ｎ−１］，Ｄ［ｎ＋１］はいずれも小さい（前項）。そして、特定電極Ｓｎから１つおいて隣接する一対の電極Ｓｎ−２，Ｓｎ＋２とそれら以外の電極の静電容量静電容量Ｄ［ｎ−２］，Ｄ［ｎ＋２］，Ｄ［その他］は、操作者の指に近い位置に存するため、それらの和は大きい（後項）。この結果、フィンガバリューｆｖが小さくなる。
【００２９】
具体的には、図６の（ａ）に示されるように、操作者の指Ｆが電極Ｓ８の配線Ｔ２，Ｔ４，Ｔ６，Ｔ８，Ｔ１０に同時に触れている場合がある。係数αを２、係数βを４とする。また、このとき最も大きな静電容量を発生する電極をＤ［８］とする。このときのフィンガバリューｆｖは、図６の（ｂ）に示されるように、ｆｖ＝（２×Ｄ［８］＋Ｄ［７］＋Ｄ［９］）−（Ｄ［６］＋Ｄ［１０］＋４×Ｄ［１〜５］）となる。この式の前項の静電容量Ｄ［８］は、配線Ｔ８が指Ｆの直下に配置されているため大きく、静電容量Ｄ［７］，Ｄ［１０］は配線Ｔ７，Ｔ９が指Ｆから遠い領域に配置されているため小さい。また、後項の静電容量Ｄ［６］，Ｄ［１０］，Ｄ［１〜５］は、配線Ｔ２，Ｔ４，Ｔ６，Ｔ１０が指Ｆの直下に配置されているため大きい。この結果、フィンガバリューｆｖは小さな値を示す。
【００３０】
上記のアルゴリズムによるフィンガバリューｆｖを算出したときに、操作者の指が電極Ｓｎを触れていたかどうかを判断する作用を、図７のフローチャートを参照しながら説明する。
【００３１】
最初に、操作者の指Ｆがタッチパネル４に触れたか否かが判断される（ステップ１０１）。このとき、操作者が意図的にタッチパネル４に触れたか、意図せずにタッチパネル４に触れたのかを判別することは困難である。このため、操作者が意図して触れたものと想定し、Ｆタッチパネル４において操作者の指Ｆとの接触部分に配置されている電極Ｓｎ又は配線Ｔｎの元となる電極Ｓｎの静電容量Ｄ［ｎ］を検出する（ステップ１０２）。なお、タッチパネル４と操作者の指Ｆとの接触時間が極めて短く、電極Ｓｎの静電容量の変化が予め設定された規定値に満たないときは、操作者の指Ｆが触れなかったものとする（ステップ１０２における「Ｎ」）。そして、前述したアルゴリズムに基づいて、フィンガバリューｆｖを算出する（ステップ１０３）。このフィンガバリューｆｖを、予め設定した基準値と比較する（ステップ１０４）。この基準値は、電極Ｓｎのサイズ、数、配線Ｔｎの太さ、タッチパネル４の厚さ等を勘案して設定される。前述したように、操作者の指Ｆが電極Ｓｎに触れているときのフィンガバリューｆｖは大きな値を示し、配線Ｔｎを触れているときのフィンガバリューｆｖは小さな値を示す。このため、フィンガバリューｆｖが基準値を超えている場合には（ステップ１０４における「Ｙ」）、操作者が意図的に指Ｆを触れたと判断し、その操作を有効とする（ステップ１０５）。しかし、フィンガバリューｆｖが基準値以下である場合には（ステップ１０４における「Ｎ」）、操作者が意図せずに指Ｆを触れた（即ち、誤って触れた）と判断し、その操作を無効とする（ステップ１０６）。これにより、操作者が誤ってタッチパネル４のスイッチ（スライダ１３）以外の部分に触れたときに、タッチパネル装置１００が誤作動してしまうことを確実に防止できる。特に、操作者が手袋を着用して操作する場合を想定して、タッチパネル装置１００の検出感度をアップした場合に有効である。
【００３２】
本実施例のタッチパネル装置１００では、各電極Ｓｎから延設される配線Ｔｎを、各電極Ｓｎの並べ方向Ｐで二分される領域に交互になるように配置し、フィンガバリューｆｖのアルゴリズムを設定するだけで済む。配線Ｔｎの配置を変更することは、電極パネル４の印刷工程の僅かな変更で済むため、コストアップになるおそれはない。フィンガバリューｆｖを算出するアルゴリズムの変更も、プログラムの僅かな変更で済む。これにより、本実施例のタッチパネル装置１００を安価に製作することができる。
【実施例２】
【００３３】
図８に示されるように、デザイン上の観点からＶ字状となるスライダ３８を形成し、そのスライダ３８に対応するように複数の電極Ｓ１〜Ｓ１０を配置してもよい。
【実施例３】
【００３４】
また、図９に示されるように、ロータリスライダ１４に対応するように複数の電極Ｓ１〜Ｓ１２を配置してもよい。この場合、周方向に並べて配置された電極Ｓ１〜Ｓ１２のうち、偶数番目の配線Ｔ２，Ｔ４，Ｔ６，Ｔ８，Ｔ１０，Ｔ１２は、電極Ｓ１〜Ｓ１２よりも外方に延設され、奇数番目の配線Ｔ１，Ｔ３，Ｔ５，Ｔ７，Ｔ９，Ｔ１１は、電極Ｓ１〜Ｓ１２よりも内方に延設され、電極パネル５の各スルーホールＨを通して接続用突片３３，３４に延設することができる。
【００３５】
第１実施例の場合と同一のアルゴリズムにより、操作者の指Ｆが電極Ｓ１〜Ｓ１２に触れているときのフィンガバリューｆｖは大きくなり、配線Ｔ１〜Ｔ１２に触れているときのフィンガバリューｆｖは小さくなる。これにより、フィンガバリューｆｖを基準値と比較することにより、操作の有効性を判断できる。
【実施例４】
【００３６】
上記した電極Ｓｎの形状、個数はいくつであってもよい。例えば、図１０に示される電極パネル３９のように、多数の電極Ｓｎを有するスライダ４１，４２が２箇所に設けられているものであってもよい。
【００３７】
上記した各実施例のタッチパネル装置１００は、運転者町は他の乗員がタッチ操作可能な位置、例えば車両におけるフロントパネルや運転席と助手席との間のセンターコンソールの部分に配置することができる。
【００３８】
本明細書では、車載エアコンを操作するタッチパネル装置１００の場合について説明した。しかし、車載オーディオ装置を操作するタッチパネル装置について本発明を実施することもできる。
【産業上の利用可能性】
【００３９】
本発明は、車両（例えば、自動車）のカーナビゲーション装置におけるディスプレイのタッチパネル装置として利用することができる。
【符号の説明】
【００４０】
１００  タッチパネル装置
４  タッチパネル
５，３９  電極パネル
８  回路基板（検出手段）
１３，３８，４１，４２  スライダ（スイッチ）
１４  ロータリスライダ（スイッチ）
１９，Ｓｎ，Ｓ１〜Ｓ１２  電極
２６，Ｔｎ，Ｔ１〜Ｔ１２  配線
３５  制御部
Ｄ  静電容量
Ｆ  指
ｆｖ  フィンガバリュー
Ｐ  並べ方向
【図１】
0005637492.tif 000002
【図３】
0005637492.tif 000003
【図４】
0005637492.tif 000004
【図５】
0005637492.tif 000005
【図６】
0005637492.tif 000006
【図７】
0005637492.tif 000007
【図８】
0005637492.tif 000008
【図９】
0005637492.tif 000009
【図１０】
0005637492.tif 000010
【図２】
0005637492.tif 000011